(57)【特許請求の範囲】
【請求項１】
放送信号を選択して受信する選択受信部と、
該選択受信部により受信された放送信号に基づく文字情報データを得るデコーダ部と、
不要文字を設定するための操作が行われる入力操作部と、
該入力操作部の操作に応じて設定された不要文字をあらわす不要文字データを形成する不要文字データ形成手段と、
上記不要文字データが格納されるメモリ手段と、
上記デコーダ部から得られる文字情報データに含まれる個別文字データについて、上記メモリ手段に格納された不要文字データとの照合を行うデータ比較手段と、
該データ比較手段による照合の結果に基づいて、上記個別文字データの夫々が上記不要文字データであるか否かを判断し、上記文字情報データに含まれる個別文字データであって上記不要文字データでないものを取り出し、取り出された個別文字データが記録媒体に記録されることになる制御を行う制御手段と、
を備えて構成される放送信号受信処理装置。
【請求項２】
上記制御手段が、上記文字情報データに含まれる個別文字データであって上記不要文字データでないものを、予め設定された個数だけ取り出して、文字データを形成し、該文字データが記録媒体に記録されることになる制御を行うことを特徴とする請求項１記載の放送信号受信処理装置。
【請求項３】
上記制御手段に関連して配された記録／再生部が設けられ、上記制御手段が、上記記録／再生部に、上記デコーダ部から得られる文字情報データに含まれる個別文字データであって上記不要文字データでないものの記録媒体への記録を行わせることを特徴とする請求項１または２記載の放送信号受信処理装置。
【請求項４】
上記デコーダ部から得られる文字情報データに含まれる個別文字データであって上記不要文字データでないものに基づく表示が、上記記録／再生部に設けられた表示部により行われることを特徴とする請求項３記載の放送信号受信処理装置。
【請求項５】
上記制御手段が、上記予め設定された個数を、上記記録／再生部に設けられた表示部により表示可能な文字数に対応するものとして設定することを特徴とする請求項２に記載の放送信号受信処理装置。
【請求項６】
不要文字データ形成手段に、入力操作部の操作に応じて設定された不要文字をあらわす不要文字データを形成させる第１のステップと、
上記不要文字データをメモリ手段に格納する第２のステップと、
データ比較手段に、選択受信部により受信された放送信号に基づく文字情報データを得るデコーダ部からの文字情報データに含まれる個別文字データについて、上記メモリ手段に格納された不要文字データとの照合を行わせる第３のステップと、
制御手段に、上記データ比較手段による照合の結果に基づいて、上記個別文字データの夫々が上記不要文字データであるか否かを判断させ、上記文字情報データに含まれる個別文字データであって上記不要文字データでないものを取り出し、取り出された個別文字データが記録媒体に記録されることになる制御を行わせる第４のステップと、
を含む放送信号受信処理方法。
【発明の詳細な説明】
【０００１】
【発明の属する技術分野】
本願の特許請求の範囲に記載された発明は、放送信号を受信し、受信された放送信号に基づく文字情報データを得て、得られた文字情報データが記録媒体に記録されることになる状態となし、さらには、必要に応じて、記録媒体に記録された文字情報データが再生されることになる状態となす放送信号受信処理装置に関する。
【０００２】
【従来の技術】
オーディオ情報を周波数変調（ＦＭ）信号として送信するＦＭオーディオ放送，オーディオ情報をディジタル信号として送信するディジタルオーディオ放送の分野にあっては、オーディオ情報に加えて文字情報を伝送する文字多重放送が実用化されている。斯かる文字多重放送のもとで送出される信号、即ち、文字多重放送信号においては、例えば、オーディオ情報が音楽情報をあらわす音楽情報信号とされ、それに伴う文字情報が、音楽情報信号があらわす音楽情報についてのタイトルをあらわす文字情報データとされる、というような組合せがとられる。
【０００３】
このような音楽情報をあらわす音楽情報信号とその音楽情報についてのタイトルをあらわす文字情報データとを多重伝送する文字多重放送信号を受信し、受信された文字多重放送信号に種々の処理を施す放送信号受信処理装置にあっては、受信された文字多重放送信号に基づく音楽情報信号と文字情報データとが個別に得られる。そして、音楽情報信号が、音声再生部による音楽情報の再生に供されるとともに、文字情報データが、表示部による音声再生部によって再生される音楽情報についてのタイトルの表示に供されるのみならず、例えば、音楽情報信号と文字情報データとの両者が、比較的小型で情報の書込み及び読出しが可能なディスク状記録媒体等の記録媒体を用いる記録／再生手段に供給され、記録媒体に書き込まれて記録される。文字情報データがあらわすタイトルは、例えば、表示手段において１行を１５文字として２行に亙って表示されることを前提としたものとされる。
【０００４】
記録媒体に記録された音楽情報信号及び文字情報データは、例えば、当該記録媒体が記録／再生手段に装着され、その記録／再生手段により記録媒体から読み出されて再生される。そして、再生された音楽情報信号及び文字情報データは、例えば、音楽情報信号が、記録／再生手段から音声再生手段に供給されて、音声再生手段よる音楽の再生に供されるとともに、文字情報データが、記録／再生手段に設けられた表示手段に供給されて、その表示手段よる音声再生手段により再生される音楽情報についてのタイトルの表示に供される。
【０００５】
【発明が解決しようとする課題】
上述の如くに、音楽情報信号及び文字情報データが記録された記録媒体が記録／再生手段に装着されて、記録／再生手段による音楽情報信号及び文字情報データの再生が行われるにあたり、例えば、記録媒体が比較的小型で情報の書込み及び読出しが可能なディスク状記録媒体であって、斯かるディスク状記録媒体用の比較的小型な記録／再生手段に装着されたとすると、表示手段による再生された文字情報データに基づくタイトルの表示が適正に行われないという不都合が生じる虞がある。その理由は、以下のとおりである。
【０００６】
比較的小型で情報の書込み及び読出しが可能なディスク状記録媒体用の比較的小型な記録／再生手段にあっては、通常、それに設けられる表示手段も比較的小型とされ、例えば、１行で１０文字の表示を行うものとされる。それに対して、記録媒体から再生される文字情報データがあらわすタイトルは、前述の如く、例えば、表示手段において１行を１５文字として２行に亙って表示されることを前提としたものとされる。それゆえ、記録／再生手段に設けられた表示手段によっては、再生される文字情報データがあらわすタイトルは、その全部が表示されず一部分が表示されるにとどまるものとされる可能性が大である。再生される文字情報データがあらわすタイトルは、その一部分が表示されるだけでは、意味が不明となる虞が大であって、適正に表示されるとは言えない。
【０００７】
そこで、従前においては、例えば、一旦記録媒体に書き込まれて記録された文字情報データを、記録媒体から読み出して再生し、その内容を１行で１０文字以下の表示が行われるものに訂正して、訂正された文字情報データを再度記録媒体に書き込んで記録するという編集を行うことが提案されている。しかしながら、このような文字情報データについての編集再記録は、使用者に対して過度な負担を課し、使用者に煩わしさを覚えさせることになってしまう。
【０００８】
斯かる点に鑑み、本願の特許請求の範囲における請求項１から請求項５までのいずれかに記載された発明及び本願の特許請求の範囲における請求項６に記載された発明は、夫々、放送信号を受信し、受信された放送信号に基づく文字情報データを得て、その文字情報データを記録媒体に記録するにあたり、使用者による文字情報データについての編集再記録を要求することなく、文字情報データが記録された記録媒体を、それが比較的小型な記録／再生手段に装着されて、文字情報データの再生及び表示手段による再生された文字情報データに基づく表示が行われる場合においても、文字情報データがあらわす内容、例えば、他の情報についてのタイトル等が適正に表示されることになるものとして得ることができる放送信号受信処理装置及び放送信号受信処理方法を提供する。
【０００９】
【課題を解決するための手段】
本願の特許請求の範囲における請求項１から請求項５までのいずれかに記載された発明に係る放送信号受信処理装置は、放送信号を選択して受信する選択受信部と、選択受信部により受信された放送信号に基づく文字情報データを得るデコーダ部と、不要文字を設定するための操作が行われる入力操作部と、入力操作部の操作に応じて設定された不要文字をあらわす不要文字データを形成する不要文字データ形成手段と、不要文字データが格納されるメモリ手段と、デコーダ部から得られる文字情報データに含まれる個別文字データについて、メモリ手段に格納された不要文字データとの照合を行うデータ比較手段と、データ比較手段による照合の結果に基づいて、個別文字データの夫々が不要文字データであるか否かを判断し、文字情報データに含まれる個別文字データであって不要文字データでないものを取り出し、取り出された個別文字データが記録媒体に記録されることになる制御を行う制御手段とを備えて構成される。
【００１０】
さらに、本願の特許請求の範囲における請求項６に記載された発明に係る放送信号受信処理方法は、不要文字データ形成手段に、入力操作部の操作に応じて設定された不要文字をあらわす不要文字データを形成させる第１のステップと、不要文字データをメモリ手段に格納する第２のステップと、データ比較手段に、選択受信部により受信された放送信号に基づく文字情報データを得るデコーダ部からの文字情報データに含まれる個別文字データについて、メモリ手段に格納された不要文字データとの照合を行わせる第３のステップと、制御手段に、データ比較手段による照合の結果に基づいて、個別文字データの夫々が不要文字データであるか否かを判断させ、文字情報データに含まれる個別文字データであって不要文字データでないものを取り出し、取り出された個別文字データが記録媒体に記録されることになる制御を行わせる第４のステップとを含むものとされる。
【００１２】
このような本願の特許請求の範囲における請求項１から請求項５までのいずれかに記載された発明に係る放送信号受信処理装置、及び、本願の特許請求の範囲における請求項６に記載された発明に係る放送信号受信処理方法の各々にあっては、デコーダ部から得られる文字情報データに含まれる個別文字データについて、不要文字をあらわす不要文字データとの照合が行われ、その照合の結果に基づいて、個別文字データの夫々が不要文字データであるか否かが判断され、文字情報データに含まれる個別文字データであって不要文字データでないものが取り出され、それにより、文字情報データが不要文字データでない個別文字データを含むものに短縮されて、記録媒体に記録されることになる制御が自動的に行われる。その際、不要文字データがあらわす不要文字は、入力操作部の操作に応じて設定される。
【００１３】
そして、不要文字データでない個別文字データを含むものに短縮されて記録媒体に記録される文字情報データは、記録媒体から再生されて、比較的小型な表示手段による内容の表示が行われる場合においても、不要文字データでない個別文字データがあらわす短縮された内容、例えば、他の情報についての短縮されたタイトル等についての適正な表示が得られることになるものとされる。
【００１４】
従って、本願の特許請求の範囲における請求項１から請求項５までのいずれかに記載された発明に係る放送信号受信処理装置、または、本願の特許請求の範囲における請求項６に記載された発明に係る放送信号受信処理方法によれば、放送信号を受信し、受信された放送信号に基づく文字情報データを得て、その文字情報データを記録媒体に記録するにあたり、使用者による文字情報データについての編集再記録を要求することなく、文字情報データが短縮されて記録媒体に記録され、その記録媒体を、それが比較的小型な記録／再生手段に装着されて、短縮された文字情報データの再生及び表示手段によるその表示が行われる場合においても、文字情報データがあらわす内容が短縮されて適正に表示されることになるものとして、得ることができる。
【００１５】
さらに、メモリ手段に格納される不要文字データが、入力操作部の操作に応じて設定される不要文字をあらわすものとされるので、使用者が、入力操作部を操作することにより、不要文字をあらわす不要文字データを任意に設定することができることになる。
【００１７】
【発明の実施の形態】
図１は、本願の特許請求の範囲における請求項６に記載された発明に係る放送信号受信処理方法の一例が実施される、本願の特許請求の範囲における請求項１から請求項５までのいずれかに記載された発明に係る放送信号受信処理装置の一例を示す。この例は、音楽情報等とされるオーディオ情報と文字情報とを多重伝送するＦＭ文字多重放送信号の受信及び受信されたＦＭ文字多重放送信号についての処理を行う。
【００１８】
図１に示される例においては、放送局から送信されて受信アンテナ１１により捉えられたＦＭ文字多重放送信号が、選択受信部を形成する選局受信部１２における選局動作によって選択受信される。選局受信部１２において選択受信されるＦＭ文字多重放送信号は、例えば、周波数多重された音楽情報をあらわす情報信号と文字情報データをあらわす文字情報データ信号とによって、所定の周波数を有した搬送波信号が周波数変調されて得られる変調波信号である。文字情報データ信号があらわす文字情報データは、予め設定された文字数をもって記された、例えば、情報信号があらわす音楽情報のタイトルに対応するものとされる。
【００１９】
選局受信部１２においては、選択受信されたＦＭ文字多重放送信号に対する増幅処理，周波数変換処理等が行われて、選択受信されたＦＭ文字多重放送信号についての中間周波数（ＩＦ）信号ＳＩＦが形成され、そのＩＦ信号ＳＩＦが、ＩＦ増幅部１３を経て、ＦＭ復調部１４に供給される。ＦＭ復調部１４においてはは、ＩＦ信号ＳＩＦに対する周波数復調が行われて、周波数多重された情報信号と文字情報データとを含む復調出力信号ＡＤＯが形成される。
【００２０】
ＦＭ復調部１４から得られる復調出力信号ＡＤＯは、低域通過フィルタ（ＬＰＦ）１５に供給され、ＬＰＦ１５によって復調出力信号ＡＤＯ中の情報信号ＡＡＵが導出される。ＬＰＦ１５から得られる情報信号ＡＡＵは、ディ・エンファシス部１６によるディ・エンファシス処理を受けて情報信号ＡＡＯとされ、信号選択部１７に供給される。
【００２１】
信号選択部１７は、ディ・エンファシス部１６からの情報信号ＡＡＯを取り出す状態を選択的にとる。そして、信号選択部１７によって情報信号ＡＡＯが取り出される状態のもとにあっては、信号選択部１７から得られる情報信号ＡＡＯが、増幅部１８によって増幅されて、再生音出力部１９に供給される。それにより、再生音出力部１９から、情報信号ＡＡＯに基づき、復調出力信号ＡＤＯ中の情報信号ＡＡＵがあらわす情報、例えば、音楽情報を再生する音が発せられる。
【００２２】
また、ＦＭ復調部１４から得られる復調出力信号ＡＤＯは、高域通過フィルタ（ＨＰＦ）２０にも供給され、ＨＰＦ２０によって復調出力信号ＡＤＯ中の文字情報データ信号ＡＣＨが導出されて、その文字情報データ信号ＡＣＨがデコーダ部２１に供給される。デコーダ部２１においては、文字情報データ信号ＡＣＨに対するデコーディング処理が行われて、文字情報データ信号ＡＣＨに基づく文字情報データＤＣＨが得られる。このようにしてデコーダ部２１から得られる、例えば、情報信号ＡＡＵがあらわす音楽情報のタイトルをあらわす文字情報データＤＣＨは、制御ユニット２５に供給される。
【００２３】
制御ユニット２５には、入力操作部２６が接続されているとともに、記録／再生用処理部２７を介して記録／再生部２８が接続され、さらに、表示用信号形成部２９を介して表示部３０が接続されている。入力操作部２６からは、それが操作されることにより動作指令データＤＩＮが発せられ、その動作指令データＤＩＮが制御ユニット２５に供給される。制御ユニット２５は、入力操作部２６からの動作指令データＤＩＮの内容に応じて、各種の制御動作を行う。
【００２４】
制御ユニット２５に供給されるデコーダ部２１からの文字情報データＤＣＨは、制御ユニット２５の制御動作によって、文字データＤＣＯとして記録／再生用処理部２７に供給されるもの、さらには、文字データＤＳＯとして表示用信号形成部２９に供給されるものとされる。
【００２５】
記録／再生用処理部２７に供給される文字データＤＣＯは、記録／再生用処理部２７による記録処理を受け、記録用文字データＤＣＱとされて記録／再生部２８に供給される。記録／再生部２８には、ディ・エンファシス部１６からの情報信号ＡＡＯも供給され、さらに、制御ユニット２５から送出される記録制御信号ＣＷ及び再生制御信号ＣＲが供給される。
【００２６】
記録／再生部２８においては、制御ユニット２５からの記録制御信号ＣＷに応じて、記録／再生用処理部２７からの記録用文字データＤＣＱについての記録媒体への書込みによる記録、及び、ディ・エンファシス部１６からの情報信号ＡＡＯについての記録媒体への書込みによる記録が、選択的に行われる。その際に記録／再生部２８において用いられる記録媒体は、例えば、比較的小型で情報の書込み及び読出しが可能なディスク状記録媒体とされる。
【００２７】
また、記録／再生部２８においては、制御ユニット２５からの再生制御信号ＣＲに応じて、記録媒体からのそれに記録された記録用文字データＤＣＱ及び情報信号ＡＡＯについての読出しによる再生が、選択的に行われる。そして、記録／再生部２８において再生された記録用文字データＤＣＱは、再生文字データＤＣＱＲとして記録／再生部２８から送出され、記録／再生用処理部２７に供給されて記録／再生用処理部２７による再生処理を受け、文字データＤＣＯＲとされて制御ユニット２５に供給される。そして、制御ユニット２５に供給される記録／再生用処理部２７からの文字データＤＣＯＲは、制御ユニット２５の制御動作によって、例えば、文字データＤＳＯとして表示用信号形成部２９に供給されるものとされる。
【００２８】
一方、記録／再生部２８において再生された情報信号ＡＡＯは、再生情報信号ＡＡＯＲとして信号選択部１７に供給される。信号選択部１７は、再生情報信号ＡＡＯＲを取り出す状態を選択的にとる。そして、信号選択部１７によって再生情報信号ＡＡＯＲが取り出される状態のもとにあっては、信号選択部１７から得られる再生情報信号ＡＡＯＲが、増幅部１８によって増幅されて、再生音出力部１９に供給される。それにより、再生音出力部１９から、再生情報信号ＡＡＯＲに基づく情報、例えば、音楽情報を再生する音が発せられる。
【００２９】
制御ユニット２５からの文字データＤＳＯが供給される表示用信号形成部２９においては、文字データＤＳＯに基づく表示用信号ＤＳＰが形成され、その表示用信号ＤＳＰが表示部３０に供給される。その結果、表示部３０において、表示用信号ＤＳＰに基づき、文字データＤＳＯがあらわす文字情報が表示される。それにより、例えば、記録／再生部２８から再生情報信号ＡＡＯＲが得られているとき、表示部３０において、制御ユニット２５からの文字データＤＳＯに基づく表示用信号ＤＳＰに応じて、再生情報信号ＡＡＯＲがあらわす情報、例えば、音楽情報についてのタイトルをあらわす表示が行われ得ることになる。
【００３０】
このようなもとで、ＬＰＦ１５から得られる情報信号ＡＡＵが、音楽情報をあらわし、デコーダ部２１から得られる文字情報データＤＣＨが、情報信号ＡＡＵがあらわす音楽情報のタイトルをあらわすとき、入力操作部２６から制御ユニット２５に供給される動作指令データＤＩＮが、記録／再生部２８において、記録／再生用処理部２７から文字データＤＣＯに基づいて得られる記録用文字データＤＣＱ、及び、ディ・エンファシス部１６から得られる情報信号ＡＡＯについての記録媒体への記録が行われるべきことを指令するものとされると、制御ユニット２５により、デコーダ部２１から得られる文字情報データＤＣＨを短縮して文字データＤＣＯとなす文字データ短縮動作が行われる。
【００３１】
また、制御ユニット２５による文字データ短縮動作が行われるにあたっては、それに先立って、制御ユニット２５に備えられた内蔵メモリ部に、少なくとも１個の予め設定された不要文字をあらわす不要文字データが格納されている状態とされる。不要文字データの制御ユニット２５に備えられた内蔵メモリ部への格納は、例えば、装置の使用者により不要文字を設定すべく入力操作部２６が操作され、その操作に応じた動作指令データＤＩＮが制御ユニット２５に供給されるとき、制御ユニット２５において、入力操作部２６の操作に応じて少なくとも１個の不要文字が設定されるとともに、設定された不要文字をあらわす不要文字データが形成され、その不要文字データが内蔵メモリ部に書き込まれることにより行われる。
【００３２】
そして、制御ユニット２５による文字データ短縮動作が行われる際には、デコーダ部２１から得られて制御ユニット２５に供給される文字情報データＤＣＨに含まれる個別文字データの夫々が、順次、制御ユニット２５における内蔵メモリ部に格納された、少なくとも１個の予め設定された不要文字をあらわす不要文字データと照合され、個別文字データの夫々についての不要文字データであるか否かの判断がなされる。斯かる判断は、例えば、制御ユニット２５に設けられたデータ比較部において、文字情報データＤＣＨに含まれる個別文字データの夫々と内蔵メモリ部に格納された不要文字データとの比較がなされ、データ比較部から得られる比較出力が両者の一致を示すか否かによって行われる。
【００３３】
次に、文字情報データＤＣＨに含まれる個別文字データの夫々についての不要文字データであるか否かの判断の結果に基づいて、文字情報データＤＣＨに含まれる個別文字データのうちの、不要文字データであるものが排除され、不要文字データでないものが、予め設定された個数だけ取り出されて、文字データＤＣＯを形成するものとされる。そして、このようにして予め設定された個数の不要文字データでない個別文字データにより形成された文字データＤＣＯは、情報信号ＡＡＵがあらわす音楽情報についての短縮されたタイトルをあらわすものとして、制御ユニット２５から送出され、記録／再生用処理部２７に供給される。
【００３４】
それにより、記録／再生部２８において、制御ユニット２５が記録／再生部２８に供給する記録制御信号ＣＷに従い、予め設定された個数の不要文字データでない個別文字データにより形成された文字データＤＣＯに基づいて、記録／再生用処理部２７から得られる記録用文字データＤＣＱについての記録媒体への書込みによる記録、及び、ディ・エンファシス部１６からの情報信号ＡＡＯについての記録媒体への書込みによる記録が行われる。
【００３５】
斯かる際における、文字データＤＣＯを形成する不要文字データでない個別文字データについての予め設定された個数は、例えば、記録／再生部２８において記録用文字データＤＣＱ及び情報信号ＡＡＯが記録されて得られる記録媒体を、それからの記録用文字データＤＣＱ及び情報信号ＡＡＯの再生のため装着することができる、例えば、比較的小型で情報の書込み及び読出しが可能なディスク状記録媒体用とされる、比較的小型な記録／再生手段に備えられる表示手段によって表示可能な文字数、例えば、１０個に対応するものとされる。
【００３６】
上述の如くにして、制御ユニット２５による文字データ短縮動作が行われるもとにあっては、デコーダ部２１から得られて制御ユニット２５に供給される文字情報データＤＣＨが、それに含まれる個別文字データのうちの不要文字データでないものが予め設定された個数だけ取り出されることによって短縮され、情報信号ＡＡＵがあらわす音楽情報についての短縮されたタイトルをあらわす文字データＤＣＯが形成されて、その文字データＤＣＯが記録用文字データＤＣＱの形で記録媒体に記録されることになる。
【００３７】
そして、文字データＤＣＯを形成する不要文字データでない個別文字データについての予め設定された個数が、例えば、比較的小型で情報の書込み及び読出しが可能なディスク状記録媒体用とされる、比較的小型な記録／再生手段に備えられる表示手段によって表示可能な文字数、例えば、１０個に対応するものとされるので、装置の使用者による文字情報データＤＣＨについての編集再記録などが要求されることなく、記録用文字データＤＣＱが記録された記録媒体が、それが比較的小型な記録／再生手段に装着されて、文字データＤＣＯの再生及び表示手段による再生された文字データＤＣＯに基づく表示が行われる場合においても、文字データＤＣＯがあらわす短縮されたタイトル、即ち、情報信号ＡＡＵがあらわす音楽情報についての短縮されたタイトルが適正に表示されることになるものとして得られることになる。
【００３８】
なお、記録／再生部２８における、記録媒体からのそれに記録された予め設定された個数の不要文字データでない個別文字データにより形成された文字データＤＣＯに基づく記録用文字データＤＣＱについての再生及び情報信号ＡＡＯについての再生は、前述の記録用文字データＤＣＱについての再生及び情報信号ＡＡＯについての再生のとおりに行われる。
【００３９】
図２は、本願の特許請求の範囲における請求項６に記載された発明に係る放送信号受信処理方法の一例が実施される、本願の特許請求の範囲における請求項１から請求項５までのいずれかに記載された発明に係る放送信号受信処理装置の他の例を示す。この例は、音楽情報等とされるオーディオ情報と文字情報データとを多重伝送する文字多重放送信号であるディジタルオーディオ放送信号の受信及び受信されたディジタルオーディオ放送信号についての処理を行う。
【００４０】
図２に示される例においては、放送局から送信されて受信アンテナ４１により捉えられたディジタルオーディオ放送信号が、選択受信部を形成する選局受信部４２における選局動作によって選択受信される。選局受信部４２において選択受信されるディジタルオーディオ放送信号は、オーディオ情報，サービス情報，制御用情報等をあらわすディジタルデータによる直交周波数多重変調（Orthogonal Frequency Divison Multiplexing : ＯＦＤＭ）方式に従った変調が行われて得られた変調波信号である。
【００４１】
選局受信部４２においては、選択受信されたディジタルオーディオ放送信号に対する増幅処理，周波数変換処理等が行われて、選択受信されたディジタルオーディオ放送信号についての中間周波数（ＩＦ）信号ＳＩＤが形成され、そのＩＦ信号ＳＩＤがアナログ／ディジタル（Ａ／Ｄ）変換部４３に供給される。Ａ／Ｄ変換部４３からは、ＩＦ信号ＳＩＤに対応するディジタルＩＦ信号ＤＩＤが得られ、そのディジタルＩＦ信号ＤＩＤがチャンネルデコーダ部４４に供給される。
【００４２】
チャンネルデコーダ部４４においては、ディジタルＩＦ信号ＤＩＤに対する直交復調処理，時間ドメイン信号から周波数ドメイン信号への変換処理等の各種の処理が行われて、制御用情報をあらわす制御用情報データが得られるとともに、オーディオ情報及びサービス情報を夫々あらわす情報信号であるオーディオ情報データ及びサービス情報データが得られ、オーディオ情報データ及びサービス情報データに対するプログラム選択処理、及び、プログラム選択処理から得られる、選択されたプログラム情報をあらわすオーディオプログラムデータ及びサービスプログラムデータに対するタイム・ディインターリーブ処理、さらには、制御用情報データとタイム・ディインターリーブ処理が施されたオーディオプログラムデータ及びサービスプログラムデータについての、例えば、尤最復号手法によるエラー訂正処理が行われる。そして、チャンネルデコーダ部４４から、エラー訂正が施された制御用情報データＤＣＤが送出されるとともに、エラー訂正処理が施されたオーディオプログラムデータ及びサービスプログラムデータが形成するプログラム情報データＤＭＤが得られてソースデコーダ部４５に供給される。
【００４３】
ソースデコーダ部４５においては、プログラム情報データＤＭＤに基づくオーディオプログラムデータに対する高能率復号化処理が行われて、高能率符号化処理により圧縮されたデータが伸長されて復号化され、オーディオプログラムデータに基づく、選択されたプログラム情報をあらわす復号化されたオーディオデータＤＡＵが得られる。さらに、ソースデコーダ部４５からは、プログラム情報データＤＭＤに基づくサービスプログラムデータＤＳＤも送出される。
【００４４】
ソースデコーダ部４５から得られる復号化されたオーディオデータＤＡＵは、ディジタル／アナログ（Ｄ／Ａ）変換部４６に供給されてアナログ化され、Ｄ／Ａ変換部４６においてオーディオデータＤＡＵに対応する情報信号であるオーディオ信号ＡＡＤが形成される。そして、Ｄ／Ａ変換部４６において得られたオーディオ信号ＡＡＤは、信号選択部４７に供給される。
【００４５】
信号選択部４７は、Ｄ／Ａ変換部４６からの情報信号であるオーディオ信号ＡＡＤを取り出す状態を選択的にとる。そして、信号選択部４７によってオーディオ信号ＡＡＤが取り出される状態のもとにあっては、信号選択部４７から得られるオーディオ信号ＡＡＤが、増幅部４８によって増幅されて、再生音出力部４９に供給される。それにより、再生音出力部４９から、オーディオ信号ＡＡＤに基づき、ソースデコーダ部４５から得られるオーディオデータＤＡＵがあらわすプログラム情報、例えば、音楽情報を再生する音が発せられる。
【００４６】
また、ソースデコーダ部４５からは、プログラム情報データＤＭＤに基づくオーディオプログラムデータに含まれたプログラム関連データＤＰＡが得られてデータ選択部５０に供給される。プログラム関連データＤＰＡは、オーディオプログラムデータにおいてオーディオデータＤＡＵに付随するものとして配されたデータを含むものである。そして、プログラム関連データＤＰＡは、それが付随するオーディオデータＤＡＵがあらわすプログラム情報の内容に関する情報、例えば、オーディオデータＤＡＵがあらわすプログラム情報が音楽情報である場合、その音楽情報についてのタイトル，その音楽情報が格納されている記録媒体のタイトル等を文字情報としてあらわす文字情報データである。
【００４７】
データ選択部５０においては、プログラム関連データＤＰＡのうちの選択された文字情報、例えば、オーディオデータＤＡＵがあらわす音楽情報についてのタイトルをあらわす文字情報データＤＰＳを選択して取り出す。このようにして、データ選択部５０を通じて得られる文字情報データＤＰＳは、制御ユニット５１に供給される。
【００４８】
制御ユニット５１には、入力操作部５２が接続されているとともに、記録／再生用処理部５３を介して記録／再生部５４が接続され、さらに、表示用信号形成部５５を介して表示部５６が接続されている。入力操作部５２からは、それが操作されることにより動作指令データＤＩＮが発せられ、その動作指令データＤＩＮが制御ユニット５１に供給される。制御ユニット５１は、入力操作部５２からの動作指令データＤＩＮの内容に応じて、各種の制御動作を行う。
【００４９】
制御ユニット５１に供給されるデータ選択部５０からの文字情報データＤＰＳは、制御ユニット５１の制御動作によって、文字データＤＣＳとして記録／再生用処理部５３に供給されるもの、さらには、文字データＤＤＯとして表示用信号形成部５５に供給されるものとされる。
【００５０】
記録／再生用処理部５３に供給される文字データＤＣＳは、記録／再生用処理部５３による記録処理を受け、記録用文字データＤＣＴとされて記録／再生部５４に供給される。記録／再生部５４には、Ｄ／Ａ変換部４６からの情報信号であるオーディオ信号ＡＡＤも供給され、さらに、制御ユニット５１から送出される記録制御信号ＣＷ及び再生制御信号ＣＲが供給される。
【００５１】
記録／再生部５４においては、制御ユニット５１からの記録制御信号ＣＷに応じて、記録／再生用処理部５３からの記録用文字データＤＣＴについての記録媒体への書込みによる記録、及び、Ｄ／Ａ変換部４６からのオーディオ信号ＡＡＤについての記録媒体への書込みによる記録が、選択的に行われる。その際に記録／再生部５４において用いられる記録媒体は、例えば、比較的小型で情報の書込み及び読出しが可能なディスク状記録媒体とされる。
【００５２】
また、記録／再生部５４においては、制御ユニット５１からの再生制御信号ＣＲに応じて、記録媒体からのそれに記録された記録用文字データＤＣＴ及びオーディオ信号ＡＡＤについての読出しによる再生が、選択的に行われる。そして、記録／再生部５４において再生された記録用文字データＤＣＴは、再生文字データＤＣＴＲとして記録／再生部５４から送出され、記録／再生用処理部５３に供給されて記録／再生用処理部５３による再生処理を受け、文字データＤＣＳＲとされて制御ユニット５１に供給される。そして、制御ユニット５１に供給される記録／再生用処理部５３からの文字データＤＣＳＲは、制御ユニット５１の制御動作によって、例えば、文字データＤＤＯとして表示用信号形成部５５に供給されるものとされる。
【００５３】
一方、記録／再生部５４において再生されたオーディオ信号ＡＡＯは、再生オーディオ信号ＡＡＤＲとして信号選択部４７に供給される。信号選択部４７は、再生オーディオ信号ＡＡＤＲを取り出す状態を選択的にとる。そして、信号選択部４７によって再生オーディオ信号ＡＡＤＲが取り出される状態のもとにあっては、信号選択部４７から得られる再生オーディオ信号ＡＡＤＲが、増幅部４８によって増幅されて、再生音出力部４９に供給される。それにより、再生音出力部４９から、再生オーディオ信号ＡＡＤＲに基づく情報、例えば、音楽情報を再生する音が発せられる。
【００５４】
制御ユニット５１からの文字データＤＤＯが供給される表示用信号形成部５５においては、文字データＤＤＯに基づく表示用信号ＤＤＰが形成され、その表示用信号ＤＤＰが表示部５６に供給される。その結果、表示部５６において、表示用信号ＤＤＰに基づき、文字データＤＤＯがあらわす文字情報が表示される。それにより、例えば、記録／再生部５４から再生オーディオ信号ＡＡＤＲが得られているとき、表示部５６において、制御ユニット５１からの文字データＤＤＯに基づく表示用信号ＤＤＰに応じて、再生オーディオ信号ＡＡＤＲがあらわす情報、例えば、音楽情報についてのタイトルをあらわす表示が行われ得ることになる。
【００５５】
このようなもとで、Ｄ／Ａ変換部４６から得られる情報信号であるオーディオ信号ＡＡＤが、音楽情報をあらわし、データ選択部５０を通じて得られる文字情報データＤＰＳが、オーディオ信号ＡＡＤがあらわす音楽情報のタイトルをあらわすとき、入力操作部５２から制御ユニット５１に供給される動作指令データＤＩＮが、記録／再生部５４において、記録／再生用処理部５３から文字データＤＣＳに基づいて得られる記録用文字データＤＣＴ、及び、Ｄ／Ａ変換部４６から得られる情報信号であるオーディオ信号ＡＡＤについての記録媒体への記録が行われるべきことを指令するものとされると、制御ユニット５１により、データ選択部５０から得られる文字情報データＤＰＳを短縮して文字データＤＣＳとなす文字データ短縮動作が行われる。
【００５６】
また、制御ユニット５１による文字データ短縮動作が行われるにあたっては、それに先立って、制御ユニット５１に備えられた内蔵メモリ部に、少なくとも１個の予め設定された不要文字をあらわす不要文字データが格納されている状態とされる。不要文字データの制御ユニット５１に備えられた内蔵メモリ部への格納は、例えば、装置の使用者により不要文字を設定すべく入力操作部５２が操作され、その操作に応じた動作指令データＤＩＮが制御ユニット５１に供給されるとき、制御ユニット５１において、入力操作部５２の操作に応じて少なくとも１個の不要文字が設定されるとともに、設定された不要文字をあらわす不要文字データが形成され、その不要文字データが内蔵メモリ部に書き込まれることにより行われる。
【００５７】
そして、制御ユニット５１による文字データ短縮動作が行われる際には、データ選択部５０を通じて得られて制御ユニット５１に供給される文字情報データＤＰＳに含まれる個別文字データの夫々が、順次、制御ユニット５１における内蔵メモリ部に格納された、少なくとも１個の予め設定された不要文字をあらわす不要文字データと照合され、個別文字データの夫々についての不要文字データであるか否かの判断がなされる。斯かる判断は、例えば、制御ユニット５１に設けられたデータ比較部において、文字情報データＤＰＳに含まれる個別文字データの夫々と内蔵メモリ部に格納された不要文字データとの比較がなされ、データ比較部から得られる比較出力が両者の一致を示すか否かによって行われる。
【００５８】
次に、文字情報データＤＰＳに含まれる個別文字データの夫々についての不要文字データであるか否かの判断の結果に基づいて、文字情報データＤＰＳに含まれる個別文字データのうちの、不要文字データであるものが排除され、不要文字データでないものが、予め設定された個数だけ取り出されて、文字データＤＣＳを形成するものとされる。そして、このようにして予め設定された個数の不要文字データでない個別文字データにより形成された文字データＤＣＳは、オーディオ信号ＡＡＤがあらわす音楽情報についての短縮されたタイトルをあらわすものとして、制御ユニット５１から送出され、記録／再生用処理部５３に供給される。
【００５９】
それにより、記録／再生部５４において、制御ユニット５１が記録／再生部５４に供給する記録制御信号ＣＷに従い、予め設定された個数の不要文字データでない個別文字データにより形成された文字データＤＣＳに基づいて、記録／再生用処理部５３から得られる記録用文字データＤＣＴについての記録媒体への書込みによる記録、及び、Ｄ／Ａ変換部４６からのオーディオ信号ＡＡＤについての記録媒体への書込みによる記録が行われる。
【００６０】
斯かる際における、文字データＤＣＳを形成する不要文字データでない個別文字データについての予め設定された個数は、例えば、記録／再生部５４において記録用文字データＤＣＴ及びオーディオ信号ＡＡＤが記録されて得られる記録媒体を、それからの記録用文字データＤＣＴ及びオーディオ信号ＡＡＤの再生のため装着することができる、例えば、比較的小型で情報の書込み及び読出しが可能なディスク状記録媒体用とされる、比較的小型な記録／再生手段に備えられる表示手段によって表示可能な文字数、例えば、１０個に対応するものとされる。
【００６１】
上述の如くにして、制御ユニット５１による文字データ短縮動作が行われるもとにあっては、データ選択部５０を通じて得られて制御ユニット５１に供給される文字情報データＤＰＳが、それに含まれる個別文字データのうちの不要文字データでないものが予め設定された個数だけ取り出されることによって短縮され、オーディオ信号ＡＡＤがあらわす音楽情報についての短縮されたタイトルをあらわす文字データＤＣＳが形成されて、その文字データＤＣＳが記録用文字データＤＣＴの形で記録媒体に記録されることになる。
【００６２】
そして、文字データＤＣＳを形成する不要文字データでない個別文字データについての予め設定された個数が、例えば、比較的小型で情報の書込み及び読出しが可能なディスク状記録媒体用とされる、比較的小型な記録／再生手段に備えられる表示手段によって表示可能な文字数、例えば、１０個に対応するものとされるので、装置の使用者による文字情報データＤＰＳについての編集再記録などが要求されることなく、記録用文字データＤＣＴが記録された記録媒体が、それが比較的小型な記録／再生手段に装着されて、文字データＤＣＳの再生及び表示手段による再生された文字データＤＣＳに基づく表示が行われる場合においても、文字データＤＣＳがあらわす短縮されたタイトル、即ち、オーディオ信号ＡＡＤがあらわす音楽情報についての短縮されたタイトルが適正に表示されることになるものとして得られることになる。
【００６３】
なお、記録／再生部５４における、記録媒体からのそれに記録された予め設定された個数の不要文字データでない個別文字データにより形成された文字データＤＣＳに基づく記録用文字データＤＣＴについての再生及びオーディオ信号ＡＡＤについての再生は、前述の記録用文字データＤＣＴについての再生及びオーディオ信号ＡＡＯについての再生のとおりに行われる。
【００６４】
上述の図１に示される例における制御ユニット２５もしくは図２に示される例における制御ユニット５１は、例えば、マイクロコンピュータが用いられて構成されるが、斯かるマイクロコンピュータが、文字データ短縮動作を行うに際して実行する制御プログラムの一例について、図３のフローチャートを参照して説明する。
【００６５】
図３に示されるフローチャートにあっては、スタート直後に、ステップ６１において、可変整数をあらわすｎ及びｍの夫々を１に設定する。
【００６６】
次に、ステップ６２において、入力操作部２６もしくは５２から供給される動作指令データＤＩＮに基づき、入力操作部２６もしくは５２において、記録用文字データＤＣＱもしくはＤＣＴ及び情報信号ＡＡＯもしくはオーディオ信号ＡＡＤについての、記録媒体への記録が行われるべきことを指令するための操作が行われたか否かを判断する。その結果、入力操作部２６もしくは５２において、記録が行われるべきことを指令するための操作が行われていない場合には、ステップ６２での判断を繰り返し、入力操作部２６もしくは５２において、記録が行われるべきことを指令するための操作が行われたときには、ステップ６３において、デコーダ部２１から得られる文字情報データＤＣＨもしくはデータ選択部５０を通じて得られる文字情報データＤＰＳの取込みを開始する。
【００６７】
そして、ステップ６４において、取り込まれた文字情報データＤＣＨもしくはＤＰＳに含まれる個別文字データのうちのｎ番目のものが、制御ユニット２５もしくは５１における内蔵メモリ部に格納された少なくとも１個の予め設定された不要文字をあらわす不要文字データと一致するものであるか否か、即ち、文字情報データＤＣＨもしくはＤＰＳがあらわす文字情報のうちのｎ番目の文字が予め設定された不要文字であるか否か、を判断する。その結果、文字情報データＤＣＨもしくはＤＰＳに含まれる個別文字データのうちのｎ番目のものが不要文字データでない場合、即ち、文字情報データＤＣＨもしくはＤＰＳがあらわす文字情報のうちのｎ番目の文字が予め設定された不要文字でない場合には、ステップ６５において、文字情報データＤＣＨもしくはＤＰＳに含まれる個別文字データのうちのｎ番目のものを、文字データＤＣＯもしくはＤＣＳのｍ番目の個別文字データとして、文字データＤＣＯもしくはＤＣＳがあらわすことになる、情報信号ＡＡＯもしくはオーディオ信号ＡＡＤがあらわす音楽情報についての短縮されたタイトルのｍ番目の文字を、文字情報データＤＣＨもしくはＤＰＳがあらわす文字情報のうちのｎ番目の文字とする設定を行う。
【００６８】
なお、文字情報データＤＣＨもしくはＤＰＳに含まれる個別文字データにおいてｎ番目のものが無い場合には、ブランク（空白）をあらわすデータをｎ番目のものとして代用する。
【００６９】
さらに、ステップ６６において、ステップ６５で得られた文字データＤＣＯもしくはＤＣＳのｍ番目の個別文字データを、制御ユニット２５もしくは５１における内蔵メモリ部に格納して、文字データＤＣＯもしくはＤＣＳがあらわすことになる、情報信号ＡＡＯもしくはオーディオ信号ＡＡＤがあらわす音楽情報についての短縮されたタイトルのｍ番目の文字の、制御ユニット２５もしくは５１における内蔵メモリ部への格納がなされた状態とする。
【００７０】
続いて、ステップ６７において、ｍを１だけ増大させた後、ステップ６８において、ｍが、文字データＤＣＯもしくはＤＣＳを形成する不要文字データでない個別文字データについての個数として予め設定された１０（１０個）を越えているか否かを判断する。その結果、ｍが１０を越えていない場合には、ステップ６４に戻り、ステップ６４からステップ６８までの各ステップを繰り返す。
【００７１】
ステップ６８での判断の結果、ｍが１０を越えた場合には、ステップ６９において、デコーダ部２１から得られる文字情報データＤＣＨもしくはデータ選択部５０を通じて得られる文字情報データＤＰＳの取込みを終了する。そして、ステップ７０において、制御ユニット２５もしくは５１における内蔵メモリ部、文字データＤＣＯもしくはＤＣＳのｍ番目の個別文字データとして格納された１０個の個別文字データを、情報信号ＡＡＯもしくはオーディオ信号ＡＡＤがあらわす音楽情報についての短縮されたタイトルをあらわす文字データＤＣＯもしくはＤＣＳとして、記録／再生用処理部２７もしくは５３に送出して、プログラムを終了する。
【００７２】
一方、ステップ６４での判断の結果、文字情報データＤＣＨもしくはＤＰＳに含まれる個別文字データのうちのｎ番目のものが不要文字データである場合、即ち、文字情報データＤＣＨもしくはＤＰＳがあらわす文字情報のうちのｎ番目の文字が予め設定された不要文字である場合には、ステップ７１において、ｎを１だけ増大させ、その後、ステップ６４での判断を再度行う。
【００７３】
なお、制御ユニット２５もしくは５１は、上述のプログラムの終了後は、メインルーチン処理に戻り、記録／再生部２８もしくは５４への記録制御信号ＣＷの送出等の各種の制御動作を適宜行う。
【００７４】
【発明の効果】
以上の説明から明らかな如く、本願の特許請求の範囲における請求項１から請求項５までのいずれかに記載された発明に係る放送信号受信処理装置、及び、本願の特許請求の範囲における請求項６に記載された発明に係る放送信号受信処理方法の各々にあっては、デコーダ部から得られる文字情報データに含まれる個別文字データについて、不要文字をあらわす不要文字データとの照合が行われ、その照合の結果に基づいて、個別文字データの夫々が不要文字データであるか否かが判断され、文字情報データに含まれる個別文字データであって不要文字データでないものが取り出される。それにより、文字情報データが不要文字データでない個別文字データを含むものに短縮されて、記録媒体に記録されることになる制御が自動的に行われる。その際、不要文字データがあらわす不要文字は、入力操作部の操作に応じて設定される。そして、不要文字データでない個別文字データを含むものに短縮されて記録媒体に記録される文字情報データは、記録媒体から再生されて、比較的小型な表示手段による内容の表示が行われる場合においても、不要文字データでない個別文字データがあらわす短縮された内容、例えば、他の情報についての短縮されたタイトル等についての適正な表示が得られることになるものとされる。
【００７５】
従って、本願の特許請求の範囲における請求項１から請求項５までのいずれかに記載された発明に係る放送信号受信処理装置、または、本願の特許請求の範囲における請求項６に記載された発明に係る放送信号受信処理方法によれば、放送信号を受信し、受信された放送信号に基づく文字情報データを得て、その文字情報データを記録媒体に記録するにあたり、使用者による文字情報データについての編集再記録を要求することなく、文字情報データが短縮されて記録媒体に記録され、その記録媒体を、それが比較的小型な記録／再生手段に装着されて、短縮された文字情報データの再生及び表示手段によるその表示が行われる場合においても、文字情報データがあらわす内容が短縮されて適正に表示されることになるものとして、得ることができるという利点が得られる。
【００７６】
さらに、メモリ部に格納される不要文字データが、入力操作部の操作に応じて設定される不要文字をあらわすものとされるので、使用者が、入力操作部を操作することによって、不要文字をあらわす不要文字データを任意に設定できることになる。
【図面の簡単な説明】
【図１】  本願の特許請求の範囲における請求項６に記載された発明に係る放送信号受信処理方法の一例が実施される、本願の特許請求の範囲における請求項１から請求項５までのいずれかに記載された発明に係る放送信号受信処理装置の一例を示すブロック接続図である。
【図２】  本願の特許請求の範囲における請求項６に記載された発明に係る放送信号受信処理方法の一例が実施される、本願の特許請求の範囲における請求項１から請求項５までのいずれかに記載された発明に係る放送信号受信処理装置の他の例を示すブロック接続図である。
【図３】図１もしくは図２に示される例における制御ユニットを、その一例として構成するマイクロコンピュータが、文字データ短縮動作を行うに際して実行する制御プログラムの一例を示すフローチャートである。
【符号の説明】
１１，４１  受信アンテナ      １２，４２  選局受信部      １３  ＩＦ増幅部      １４  ＦＭ復調部      １５  ＬＰＦ      １６  ディ・エンファシス部      １７，４７  信号選択部      １８，４８  増幅部      １９，４９再生音出力部      ２０  ＨＰＦ      ２１  デコーダ部      ２５，５１  制御ユニット      ２６，５２  入力操作部      ２７，５３  記録／再生用処理部      ２８，５４  記録／再生部      ２９，５５  表示用信号形成部
３０，５６  表示部      ４３  Ａ／Ｄ変換部      ４４  チャンネルデコーダ部      ４５  ソースデコーダ部      ４６  Ｄ／Ａ変換部      ５０  データ選択部
【図１】
0003826550.tif 000002
【図２】
0003826550.tif 000003
【図３】
0003826550.tif 000004